(57)【要約】  ある量の茶（６）を装填／荷卸しする頂部開口（２３）と底壁（３０）とを備える煎出チャンバ（２４）と、液体を透過するヘッド（３８）を含む排出ピストン（３７）であって、ヘッド（３８）は下方の煎出位置とある量の茶を煎出チャンバから排出する上昇位置との間で移動するよう煎出チャンバ（２４）の内側に取り付けられる排出ピストン（３７）と、上昇位置においてある量の茶をヘッドから取り除くためのドクタ（５４）と、底壁（３０）を通じて形成される出口開口（３１）を通じて煎出チャンバ（２４）と連絡する煎出飲料出口（３２）と、煎出飲料出口（３２）を制御する栓（４３）と、排出ピストン（３７）、ドクタ（５４）、及び栓（４３）を制御するための１つのアクチュエータ組立体（６１）とを有する、茶煎出組立体。
2015502215.tif 000002
【特許請求の範囲】
【請求項１】
ある量の茶を装填／荷卸しするための頂部開口と底壁とを有する煎出チャンバと、
液体を透過し且つ下方煎出位置と前記ある量の茶を前記煎出チャンバから排出する上昇位置との間で移動するよう前記煎出チャンバの内側に取り付けられるヘッドを含む、排出ピストンと、
前記上昇位置において前記ある量の茶を前記ヘッドから取り除くためのドクタと、
煎出飲料出口と、
該煎出飲料出口を制御するための栓手段とを含む、
茶煎出組立体であって、
当該煎出組立体は、前記煎出飲料出口が前記底壁を通じて形成される出口開口を通じて前記煎出チャンバと連絡し、
前記排出ピストン、前記ドクタ、及び前記栓手段を制御するために、１つのアクチュエータ組立体が設けられることを特徴とする、
茶煎出組立体。
【請求項２】
前記栓手段は、前記ヘッドに取り付けられ、前記底壁に面して位置付けられ、且つ前記ヘッドが前記下方煎出位置にあるときに前記出口開口と流体密に係合するよう設計され且つ配置される、栓を含む、請求項１に記載の茶煎出組立体。
【請求項３】
前記ヘッドは、有孔プレートを含み、該有孔プレートは、前記底壁に面する側に、前記底壁に面する付属物を有し、前記有孔プレートの反対側に有孔弾性シースと、フィルタとを有し、前記有孔弾性シースは、前記栓を形成するよう前記付属物を覆う、請求項２に記載の茶煎出組立体。
【請求項４】
前記排出ピストン及び前記ドクタは、それぞれ、第１及び第２の制御部材を一体的に備え、前記アクチュエータ組立体は、前記制御部材と平行な出口シャフトを有する可逆モータ手段と、前記出口シャフトに適合させられる伝動部材とを含み、該伝動部材は、クランクと、２つのローブとを備えるカムとを含み、それぞれの前記制御部材は、各ローブと係合する、請求項１乃至３のうちのいずれか１項に記載の茶煎出組立体。
【請求項５】
前記制御部材は、前記出口シャフトと平行なピンである、請求項４に記載の茶煎出組立体。
【請求項６】
前記２つのローブのうちの第１のローブは、スロット又はリンクを定める閉塞ローブであり、前記第１の制御部材によって定められる従動部が、前記スロット又はリンクと係合し、前記スロット又はリンクは、前記クランクの振動を、第１の方向において、前記第１の制御部材の、従って、前記排出ピストンの直線的な往復運動に変換する、請求項４又は５に記載の茶煎出組立体。
【請求項７】
前記第１の方向は、実質的に垂直である、請求項６に記載の茶煎出組立体。
【請求項８】
前記２つのローブのうちの第２のローブは、凹部又はリンクを定める開放又はエスケープローブであり、前記第２の制御部材によって定められる従動部が、前記凹部又はスリットと係合し、前記凹部又はスリットは、前記クランクの振動の一部を、前記第１の方向に対して横方向の第２の方向において、前記第２の制御部材の、従って、前記ドクタの直線的な往復運動に変換する、請求項４乃至７のうちのいずれか１項に記載の茶煎出組立体。
【発明の詳細な説明】
【技術分野】
【０００１】
本発明は茶煎出組立体に関する。
【背景技術】
【０００２】
より具体的には、本発明は、ある量の茶を装填／荷卸しするための頂部開口と底壁とを備える煎出チャンバと、液体を透過するヘッドを含む排出ピストンであって、ヘッドは下方の煎出位置とある量の茶を煎出チャンバから放出する上昇位置との間で移動するよう煎出チャンバの内側に取り付けられる排出ピストンと、上昇位置においてある量の茶をヘッドから取り除くためのドクタと、煎出飲料出口と、煎出飲料出口を制御するための栓手段とを含む種類の茶煎出組立体に関する。
【発明の概要】
【発明が解決しようとする課題】
【０００３】
本発明の目的は、簡単で低コストの設計であると同時に、煎出チャンバ内側の茶の煎出の制御を安価且つ容易にもたらす、上述の種類の茶煎出組立体を提供することである。
【課題を解決するための手段】
【０００４】
本発明によれば、請求項１において請求されるような、好ましくは、請求項１に直接的又は間接的に従属する請求項のいずれかにおいて請求されるような、茶煎出組立体が提供される。
【０００５】
添付の図面を参照して、一例として、本発明の非限定的な実施態様を記載する。
【図面の簡単な説明】
【０００６】
【図１】本発明に従った茶煎出組立体の好適実施態様を含む飲料自動販売機の煎出ユニットを示す斜視図である。
【図２】第１の動作構造における図１の茶煎出組立体を拡大尺度で示す斜視図である。
【図３】図２の茶煎出組立体を示す部分軸断面図である。
【図４】図２の茶煎出組立体を示す部分側断面図である。
【図５】更なる連続的な動作構造における図２の茶煎出組立体を示す部分軸断面図である。
【図６】更なる連続的な動作構造における図２の茶煎出組立体を示す部分側断面図である。
【図７】更なる連続的な動作構造における図２の茶煎出組立体を示す部分軸断面図である。
【図８】更なる連続的な動作構造における図２の茶煎出組立体を示す部分側断面図である。
【図９】更なる連続的な動作構造における図２の茶煎出組立体を示す部分軸断面図である。
【図１０】更なる連続的な動作構造における図２の茶煎出組立体を示す部分側断面図である。
【図１１】更なる連続的な動作構造における図２の茶煎出組立体を示す部分軸断面図である。
【図１２】更なる連続的な動作構造における図２の茶煎出組立体を示す部分側断面図である。
【発明を実施するための形態】
【０００７】
図１中の番号１は、全体的に、飲料自動販売機を示しており、飲料自動販売機１は、ボックス支持体３を備える計量分配ユニット２を収容し、ボックス支持体３の水平な頂壁４は、多数の容器を支持し、即ち、番号５で示される１つの容器は、茶６（図５）用であり、番号７で示される他の容器は、それぞれの可溶性の粉末物質のためである。ボックス支持体３は、垂直な前壁８も含み、前壁８には、茶煎出組立体９が容器５の出口１０の下に取り付けられ、前壁８には、少なくとも１つのミキサ組立体１１が容器７の出口１２の下に取り付けられている。煎出組立体９及びミキサ組立体１１は、正面で、水平な開放位置（図１）と前壁８と平行な垂直な閉塞位置（図示せず）との間で移動可能な落下ハッチ１３によって保護されている。
【０００８】
図２及び３により明確に示されるように、煎出組立体９は、前壁８を通じる開口１５で、ボックス支持体３の前壁８の外表面と接触して位置付けられる垂直プレートによって定められる後方フレーム１４を含む。フレーム１４は、キャッチ１６によって底部で前壁８に接続され、キャッチ１６は、フレーム１４から前壁８に向かって延び、開口１５を貫通し、且つ開口１５の底部エッジと協働する。フレーム１４は、フレーム１４の頂端に蝶番付けされる可撓なロッカーアーム１７によって頂部で前壁８に接続され、開口１５を貫通し、開口１５の頂部エッジにカチッと嵌る歯を有し、アーム１８を有し、アーム１８は、フレーム１４から前方に突出し、前壁８からのフレーム１４の、従って、煎出組立体９の迅速な解放のために手動で操作される。
【０００９】
フレーム１４は、頂端で、水平なＵ形状のフレーム１９を備え、フレーム１９は、フレーム１４に対して垂直であり、前壁８に接続される表面とは反対のフレーム１４の表面から前方に延び、底壁２０によって底部で閉塞される。より具体的には、フレーム１９は、底壁２０から上向きに延び且つフレーム１４と一体的な後壁２１と、後壁２１に対して並びに底壁２０に対して垂直であり且つ後壁２１から前方に延びる２つの平行なアーム２２とを含む。
【００１０】
底壁２０は、円筒形の管状の横壁２６を含む円筒形のカップ形状本体２５によって定められる煎出チャンバ２４への円形のアクセス開口２３を有し、横壁２６は垂直軸２７を有し、底壁２０の下側の表面に一体的に接続される。横壁２６は、円形の開口２３と等しい内径を有し、フレーム１９の底壁に近接して、フレーム１４及び開口１５を通じて熱湯入口取付具２９に接続される接線方向入口孔２８を有する。横壁２６は、茶煎出注口３２と連絡する横方向開口３１を有する底壁３０によって底部で閉塞される。
【００１１】
軸２７と同軸の管状の付属物３３が、底壁３０の下側の表面から下向きに突出し、底壁３０を通じる孔３４を通じて煎出チャンバ２４と連絡し、ピストン３７の円筒形のロッド３６によって滑動的で流体密な方法において係合させられる管状シール３５を収容し、ピストン３７は、ロッド３６に加えて、煎出チャンバ２４の内側に収容される円形のヘッド３８を含み、ヘッド３８は、煎出チャンバ２４に沿って、軸２７と平行な垂直方向Ａにおいて、底壁３０と接触する下降位置とフレーム１９の底壁２０の上側の表面と面一な上昇位置との間で移動可能である。
【００１２】
図３により明確に示されるように、ヘッド３８は、有孔のカップ形状プレート３９を含み、プレート３９は、プラスチック材料で作製され、底部付属物４０を有し、下側が有孔の弾性シース４１で覆われ、フィルタ４２によって頂部で閉塞される。付属物４０及び弾性シース４１の関連部分は、ヘッド３８が下降位置にあるときに流体密な方法において開口３１を封止するよう位置付けられる、栓４３（プラグ）を定める。
【００１３】
図３に示されるように、ピストン３７は、プッシャ４４によってヘッド３８の下降位置と上昇位置との間で軸方向に移動させられ、プッシャ４４は、縦断面において実質的にＬ形状であり、スライド４５によって定められる垂直アームを含み、垂直アームは、フレーム１４と平行に且つフレーム１４に面して、カップ形状本体２５とフレーム１４との間に介装され、フレーム１４上で２つの垂直ガイド４６上を滑動するよう取り付けられる。プッシャ４４は、スライド４５の底端からカップ形状本体２５の下に延びる実質的に水平なアーム４７や、長方形の横方向剛化プレート４８も含み、横方向剛化プレート４８は、カップ形状本体２５の外側にカップ形状本体２５と並んで配置され、軸２７と平行であり、スライド４５及びアーム４７に対して垂直である。横方向剛化プレート４８は、アーム４７及びスライド４５に一体的に接続され、その頂端に近接して制御ローラ又はピン４９を備え、制御ローラ又はピン４９は、軸２７に対して垂直に、カップ形状本体２５に面する表面とは反対の横方向剛化プレート４８の表面から延びる。
【００１４】
その自由端で、アーム４７は、軸２７と同軸なプレート５０を有し、プレート５０は、ネジによって、カップ形状本体２５の底壁３０の下に突出するロッド３６の底端に接続される。
【００１５】
スライド４５の頂端は、フレーム１４に面する歯５１を有し、ヘッド３８が少々位置にあるときに、歯５１はフレーム１４の溝５２の内側にカチッと嵌り（図３）、ヘッド３８が下降位置にあるときに、フレーム１４のリブ５３の上に位置する（図５及び７）。
【００１６】
図２により明確に示されるように、フレーム１９、より具体的には、アーム２２は、滑動路を形成し、滑動路に沿って、ドクタ５４が、方向Ａに対して垂直な水平方向Ｂにおいて、後壁２１と接触する後退位置（図１２）と引出位置（図２）との間で滑動し、抽出位置において、ドクタ５４は、開口２３を越えて凹部５５の上に配置され、凹部５５は、後壁２１に面するエッジとは反対の底壁２０のエッジに沿って形成され、フレーム１４に対するカップ形状本体２５の反対側でカップ形状本体２５の外側に配置される荷卸しシュート５６へのアクセスを定める。
【００１７】
ドクタ５４は、各スロット５８が滑動的な方法において夫々のアーム２２によって係合される、互いに平行であり且つ方向Ｂと平行である２つのスロット５８を備える横材５７と、プッシャ４４の横壁４８の上でフレーム１９の外側に配置される横材５７の端から方向Ｂにおいて延びる横方向付属物５９と、付属物５９に取り付けられ、制御ピン４９と平行であり且つ制御ピン４９の上に配置される、外側制御ローラ又はピン６０とを含む。
【００１８】
図２及び４により明確に示されるように、煎出組立体９は、プッシャ４４及びドクタ５４の両方を異なる運動原理で夫々の方向Ａ及びＢにおいて前後に移動させるための１つのアクチュエータ組立体６１を有する。
【００１９】
アクチュエータ組立体６１は、フレーム１４から開口１５を通じて突出する２つのブラケット６３によって支持される、可逆モータ減速機６２−図示の実施例では電気モータ−を含み、制御ピン４９及び６０と平行であり且つ制御ピン４９及び６０と同様に面する出力シャフト６４を有する。アクチュエータ組立体６１は、中空の伝動部材６５も含み、伝動部材６５は、シャフト６４に取り付けられ、横方向プレート４８の外側に配置され且つ横方向プレート４８に面する凹面を備え、横方向プレート４８に面する側に、１つのクランク６６と２つのローブ６８及び６９を備えるカム６７とを定める多数の内側リブを有する。
【００２０】
ローブ６８はスロット又はリンクを定める閉塞ローブであり、制御ピン４９によって定められる従動部（フォロア）がスロット又はリンクと係合し、スロット又はリンクはシャフト６４の軸についてローブ６８の走行方向に対してほぼ接線方向の長手軸７０を有し、クランク６６の振動を、フレーム１４上のガイド４６によって定められる方向Ａにおいて、制御ピン４９の、従って、プッシャ４４の直線的な往復運動に変換する。
【００２１】
他方、ローブ６９は凹部又はリンクを定める開放又は「エスケープ」ローブであり、制御ピン６０によって定められる従動部（フォロア）が凹部又はリンクと係合し、凹部又はリンクはシャフト６４の軸に対してほぼ径方向の長手軸７１を有し、クランク６６の振動の一部を、フレーム１９のアーム２２によって定められる方向Ｂにおいて、制御ピン６０の、従って、ドクタ５４の直線的な往復運動に変換する。
【００２２】
図４を参照すると、ローブ６８は、ローブ６９に近接する頂部尖頭７２と、底部尖頭７３とを有し、それらの両方は、制御ピン４９を収容するような大きさとされ、シャフト６４の軸に対して径方向に外側のリブ７４と径方向に内側のリブ７５とによって接続される。リブ７４は、実質的に、シャフト６４の軸について中心化される円のほぼ６０°の円弧の形態にある。リブ７５は、リブ７４と反対に湾曲し、リブ７５は、頂部尖頭７２に隣接し且つ長手軸７０に対して実質的に横方向である傾斜部分７６と、底部尖頭７３に隣接し且つ傾斜部分７６と反対に傾斜する傾斜部分７７と、傾斜部分７６と傾斜部分７７とを接続する中間部分７８とを含む、破線によって実質的に定められる。
【００２３】
ローブ６９は、シャフト６４に対して径方向に内向きのローブ６９の端に配置され且つ制御ピン６０を収容するような大きさとされる内側尖頭７９と、２つの湾曲した実質的に平行な横壁８０，８１とを有する。シャフト６４の軸に対して径方向に外側の横壁８０，８１の自由端は、外側と連絡する開口８２を定め、制御ピン６０の通過を許容するような大きさとされ、長手軸７０に対して実質的に横方向である。
【００２４】
次に、図２、３、及び４に示される休止位置又は待機位置における煎出組立体９の動作を記載する。休止位置又は待機位置において、ドクタ５４は、引出位置にあり、制御ピン６０は、ローブ６９の開口８２と係合し、プッシャ４４は、溝５２が歯５１と係合し且つピストン３７及びフィルタ４２がフレーム１９の底壁２０の上側の表面と面一な状態で、上昇位置にあり、制御ピン４９は、頂部尖頭７２に近接して配置される。
【００２５】
普通は電子中央制御装置（図示せず）のキーパッド（図示せず）へ入力される、茶飲料に対する使用者要求の後、電子中央制御装置は、モータ減速機６２を活性化し、シャフト６４を図４及び６において反時計回りに回転させる。結果的に、制御ピン６０が開口８２を通じてローブ６９から解放され、ローブ６８が、先ず頂部尖頭７２で、次に傾斜部分７６に沿って、制御ピン４９上に位置し、ドクタ５４がアクチュエータ組立体６１から分離し、引出位置において固定されたままであり、プッシャ４４が下向きに下降位置まで移動させられ（図５）、下降位置において、歯５１がリブ５３の上に位置し、ヘッド３８が底壁３０と接触して位置付けられ、栓４３が煎出チャンバ２４の横方向開口３１と流体密に係合する。
【００２６】
この時点で、ある量の茶６が容器５の出口１０からフィルタ４２上に装填され、所定の量の熱湯が孔２８を通じて煎出チャンバ２４内に送られ、次に、電子中央制御装置が所与の煎出時間に亘ってモータ減速機６２を非活性化し、その間、横方向開口３１は栓４３によって封止されたままである。
【００２７】
煎出時間が終了し、茶飲料が煎出チャンバ２４の内側で形成されるとき、電子中央制御装置はモータ減速機６２を活性化して、シャフト６４を図９乃至１２において時計回りに回転させる。この回転の第１の段階の結果（図１０）、制御ピン４９はローブ６８のリブ７５の傾斜部分７７に沿って移動し、よって、ピストン３７のヘッド３８を底壁３０から徐々に引き離し（図９）、ローブ６９の開口８２は制御ピン６０に向かって徐々に移動する。
【００２８】
シャフト６４の時計回りの回転におけるこの第１の段階で（図９）、以前はアクチュエータ組立体６１から分離され且つ引出位置において自由な状態にされたドクタ５４は、もう一度アクチュエータ組立体６１と係合し、栓４３は開口３１から完全に引き出され、飲料チャンバ２４内の飲料が注口３２に沿って流れ出すのを可能にする。この関係で、飲料の流出は、そのフィルタ４２、プレート３９、及び弾性シース４１は有孔である、ヘッド３８によって如何様にも妨げられないことが指摘されなければならない。
【００２９】
シャフト６４が更に時計回りに回転すると、制御ピン６０は、ローブ６９と係合し、ローブ６９と共に移動して、ドクタ５４をフレーム１４と実質的に接触する後退位置に移動させ、制御ピン４９は、ローブ６８の傾斜部分７７に沿って滑動して底部尖頭７３と係合し、次に、ローブ６８と共に上向きに移動して、ヘッド３８をフレーム１９の底壁２０の上側の表面と面一な上昇位置（図１１）まで移動させ、ある量の茶の滓がドクタ５４の経路に沿って置かれる。
【００３０】
上記との関係で、シャフト６４が既述のように時計回りに更に回転すると、伝動部材６５の動作が運動を制御ピン６０に、従って、ドクタ５４に直接的に伝え、従って、ドクタ５４は後退位置に急速に移動することが指摘されなければならない。他方、プッシャ４４に関して、運動は制御ピン４９がローブ６８の底部尖頭７３と係合するときに直接的にのみ伝えられ、制御ピン４９が傾斜部分７７に沿って滑動するときには伝えられない。換言すれば、ドクタ５４が煎出チャンバ２４への円形のアクセス開口２３を開けた後に、ヘッド３８が上昇位置に達することを許容するだけであるように、傾斜部分７７は遅延部材として作用する。
【００３１】
この時点で、電子中央制御装置（図示せず）はモータ減速機６２を再び逆転させて、煎出組立体９を図３の待機位置に復帰させる。制御ピン４９はローブ６８に沿って自由に移動し、ヘッド３８は上昇位置に留まり、ドクタ５４は引出位置に移動し、よって、ある量の茶６の滓をヘッド３８から取り除き、凹部５５に至り、そして、シュート５６に至る。
【図１】
2015502215.tif 000003
【図２】
2015502215.tif 000004
【図３】
2015502215.tif 000005
【図４】
2015502215.tif 000006
【図５】
2015502215.tif 000007
【図６】
2015502215.tif 000008
【図７】
2015502215.tif 000009
【図８】
2015502215.tif 000010
【図９】
2015502215.tif 000011
【図１０】
2015502215.tif 000012
【図１１】
2015502215.tif 000013
【図１２】
2015502215.tif 000014
【国際調査報告】
2015502215.tif 000015
2015502215.tif 000016